(57)【特許請求の範囲】
【請求項１】
型枠幅を調整するためのセパレータを型枠に装着するための型枠用セパレータの装着装置であって、
前記セパレータの端部に螺着する装着具と型枠面との間に、該装着具と着脱可能なスペーサが介挿され、
前記スペーサが前記装着具の前記型枠面側部位を内包し、前記装着具が前記型枠面の内側に配置され、
前記装着具は前記セパレータとは反対側に、前記型枠面の外側に配置される延伸ボルトと螺合するネジ部を有し、このネジ部が前記型枠面の内側に配置されることを特徴とする型枠用セパレータの装着装置。
【請求項２】
前記スペーサは、前記型枠面側に拡開するテーパ状の中空筒体でなり、前記装着具と段部で係合可能であることを特徴とする請求項１に記載の型枠用セパレータの装着装置。
【請求項３】
前記延伸ボルトは軸方向長さを適宜選択可能であることを特徴とする請求項２に記載の型枠用セパレータの装着装置。
【発明の詳細な説明】
【技術分野】
【０００１】
本発明は、コンクリートパネルでなるコンクリート型枠の型枠幅を調整・固定するセパレータを装着するための型枠用セパレータの装着装置に関する。
【背景技術】
【０００２】
この種の型枠において、型枠幅を調整するためのセパレータが用いられる。セパレータは通常、丸鋼材の両端にネジ部を設けたもので、セパレータを装着セットするために「Ｐコン」等と称する装着具を着脱自在にして使用する。そして、コンクリート打設後に型枠が取り外され、Ｐコンはコンクリート打設面から取り除かれる。
【０００３】
また、例えば特許文献１には、一部を屈曲して回り止めを形成し、脱枠後のＰコン除去時に空回りを防ぐようにしたセパレータが開示されている。
【先行技術文献】
【特許文献】
【０００４】
【特許文献１】実用新案登録第３１６９９７６号公報
【発明の概要】
【発明が解決しようとする課題】
【０００５】
しかしながら、従来のＰコンではセパレータを型枠にセット固定する際、型枠の外側に単管押さえ等の治具を取り付けることができるように、型枠面から型枠方向へ突出するネジ部が突設されている。このため脱枠に際してネジ部に引っ掛からないように、型枠面の法線方向（型枠面の直交方向）にのみしか脱枠することができない。即ち、型枠面の接線方向には脱枠することができず、特に狭隘スペースでの脱枠時の作業性が制約されざるを得ず、効率的な作業を実施することが必ずしも容易でなかった。
【０００６】
また、鋼製型枠において、セパレータを溶接により固定する方法が一般的に行われているが、この場合いかなる方向にも脱枠することができない。
【０００７】
本発明はかかる実情に鑑み、型枠面の接線方向の脱枠を可能にし、作業性等の改善を図る型枠用セパレータの装着装置を提供することを目的とする。
【課題を解決するための手段】
【０００８】
本発明による型枠用セパレータの装着装置は、型枠幅を調整するためのセパレータを型枠に装着するための型枠用セパレータの装着装置であって、前記セパレータの端部に螺着する装着具と型枠面との間に、該装着具と着脱可能なスペーサが介挿され、前記スペーサが前記装着具の前記型枠面側部位を内包し、前記装着具が前記型枠面の内側に配置され、前記装着具は前記セパレータとは反対側に、前記型枠面の外側に配置される延伸ボルトと螺合するネジ部を有し、このネジ部が前記型枠面の内側に配置されることを特徴とする。
【００１０】
また、本発明の型枠用セパレータの装着装置において、前記スペーサは、前記型枠面側に拡開するテーパ状の中空筒体でなり、前記装着具と段部で係合可能であることを特徴とする。
【００１１】
また、本発明の型枠用セパレータの装着装置において、前記延伸ボルトは軸方向長さを適宜選択可能であることを特徴とする。
【発明の効果】
【００１２】
本発明によれば、接線方向の脱枠を可能にするため、特に重機等により型枠を吊り上げて脱枠することができ、効率的な作業を実施することができる。
また、延伸ボルトは、着脱が容易で且つ種々の型枠押さえに合った最適な長さを選択することが可能であり、長短長さの異なる延伸ボルトを適宜使い分けることで、様々な方式の型枠パネル押さえに対応することができる。
【図面の簡単な説明】
【００１３】
【図１】本発明の型枠用セパレータの装着装置の実施形態を示す断面図である。
【図２】本発明の実施形態に係る型枠用セパレータの装着装置の要部分解斜視図である。
【発明を実施するための形態】
【００１４】
以下、図面に基づき、本発明の型枠用セパレータの装着装置の好適な実施の形態を説明する。
コンクリートの打設に際して、型枠幅を調整・固定するためのセパレータが用いられる。図１は、本発明の型枠用セパレータの装着装置を用いた工法を、従来工法との比較において示している。例えば、図１のようにコンクリート１００が打設される前に型枠内において、コンクリートパネル１相互間にセパレータ２が装着セットされる。このセパレータ２は、丸鋼材の両端にネジ部２ａ（図２にその一方が示される）を設けたもので、セパレータ２を装着セットするためにセパレータ装着装置１０を備える。このセパレータ装着装置１０において、特に打ち放し用のセパレータ２では両端部に「Ｐコン」等と称する装着具１１を着脱自在にして使用する。そして、コンクリート打設後に型枠が取り外され、装着具１１はコンクリート打設面から取り除かれる。
【００１５】
装着具１１は図２に示すようにテーパ状の筒体でなり、一端側にセパレータ２のネジ部２ａ（雄ネジ）と螺合するネジ部１１ａ（雌ネジ）を有すると共に、他端側には後述の延伸ボルト１２と螺合するネジ部１１ｂ（雄ネジ）を有する。本発明では図１のように装着具１１とコンクリートパネル１との間に介挿されるスペーサ１３を更に有する。スペーサ１３は、装着具１１に対して段部１３ａで係合可能な、型枠面１Ａ側に拡開するテーパ状の中空筒体でなり、装着具１１の型枠面１Ａ側部位を内包する。即ち、スペーサ１３が介挿されることで、図１のように装着具１１のネジ部１１ｂはコンクリートパネル１よりも内側に配置される。
【００１６】
延伸ボルト１２は鋼材でなり、その軸方向の一端側に装着具１１のネジ部１１ｂと螺合するネジ部１２ａ（雌ネジ）を有すると共に、他端側には例えば六角等のヘッド部１２ｂを有する。本実施形態では長短２種類の延伸ボルト１２Ａ，１２Ｂを有し、即ちその軸方向長さを調整可能であり、いずれにおいても延伸ボルト１２の締付けにより装着具１１を固定することができる。この場合、図１のようにパネル押さえ１４が宛がわれ、ワッシャ１５を介して延伸ボルト１２を締結する。長い延伸ボルト１２Ａにあっては、コンクリートパネル１及びパネル押さえ１４間に介挿材３が設置される。
【００１７】
なお、従来工法では図１のようにコンクリートパネル１外面において、装着具１１のネジ部１１ｂにナットワッシャ４が螺着し、通常の仕方でセパレータ２が装着セットされる。
【００１８】
本発明において、上述したようにコンクリート１００が打設される前に型枠内にコンクリートパネル１相互間にセパレータ２が装着セットされる。装着具１１及びスペーサ１３はコンクリート打設面から取り除かれる。
本発明のセパレータ装着装置１０において、装着具１１とコンクリートパネル１との間にスペーサ１３が介挿され、スペーサ１３は装着具１１の型枠面１Ａ側部位であるネジ部１１ｂを内包する。このネジ部１１ｂはコンクリートパネル１よりも内側に配置され、コンクリート１００の外側面から突出しない。このようにネジ部１１ｂがコンクリート１００の外側面から突出しないため、コンクリート打設後の脱枠に際して、延伸ボルト１２Ａ，１２Ｂを取り外すことで、コンクリートパネル１は型枠面１Ａの法線方向及び接線方向（図１の紙面直交方向）双方ともに脱枠することができる。
【００１９】
また、本発明のセパレータ装着装置１０では長短２種類の延伸ボルト１２Ａ，１２Ｂを有しているため、いずれにおいても用途、状況に応じて延伸ボルト１２Ａ，１２Ｂの締付けにより装着具１１を固定することができる。
【００２０】
ここで仮に、スペーサ１０が配設されない従来工法の場合では、図１のようにナットワッシャ４が螺合する装着具１１のネジ部１１ｂがコンクリート１００の外側面から突出する。この場合、コンクリートパネル１がネジ部１１ｂに引っ掛ってしまうため、型枠面１Ａの接線方向には脱枠することができない。本発明では上記のように接線方向の脱枠を可能にするため、脱枠時に効率的な作業を実施することができる。
また、本発明においては長短長さの異なる延伸ボルト１２Ａ，１２Ｂを適宜使い分けることで、現場の状況等に有効に対応することができる。
【００２１】
また、スペーサ１３は、型枠面１Ａ側に拡開するテーパ状の中空筒体であるため、装着具１１と同様にコンクリート打設面から取り除かれる。
【００２２】
以上、本発明を種々の実施形態と共に説明したが、本発明はこれらの実施形態にのみ限定されるものではなく、本発明の範囲内で変更等が可能である。
上記実施形態において、延伸ボルト１２Ａ，１２Ｂの長さは、必要に応じて３種類以上の異なる長さに設定することも可能である。
【符号の説明】
【００２３】
１０  セパレータ装着装置、１１  装着具、１２，１２Ａ，１２Ｂ  延伸ボルト、１３  スペーサ、１４  パネル押さえ、１５  ワッシャ１５、１００  コンクリート。
【図１】
0006653571.tif 000002
【図２】
0006653571.tif 000003